(57)【特許請求の範囲】
【請求項１】
本体底面にキャスターを取付けるキャスター取付部を備えた電気機器であって、前記本体底面の中央付近を内部方向に凹みを設けることで、本体内部の気密性を維持して形成される底部空間と、前記底部空間を閉塞する底部カバーとを備え、前記キャスター取付部は、前記キャスターから突設させた取付軸を嵌合する取付孔を有するとともに、前記本体底面の外周付近および中央付近にそれぞれ設けられた外周側取付部および中央側取付部から構成され、前記外周側取付部は、前記本体底面に前記取付孔を有し、前記中央側取付部は、前記底部カバーに前記取付孔を有し、前記底部空間に前記取付軸を収容することを特徴とする電気機器。
【請求項２】
前記キャスター取付部は、前記取付軸の先端に形成された係合部に係止する係止片を有し、前記係止片は、前記取付孔の周囲から延設させるとともに、切り欠き部を有することを特徴とする請求項１記載の電気機器。
【請求項３】
前記中央側取付部の前記係止片は、前記切り欠き部が複数形成されるとともに、前記本体底面から突設させた係止片保護部により外周を囲われることを特徴とする請求項２記載の電気機器。
【請求項４】
前記外周側取付部の前記係止片は、前記切り欠き部が前記取付孔全周の略半分に亘って形成されることを特徴とする請求項２または３記載の電気機器。
【発明の詳細な説明】
【技術分野】
【０００１】
本発明は、機器本体に着脱自在なキャスターを備えた電気機器に関するものである。
【背景技術】
【０００２】
従来の着脱自在なキャスターの係合構造として、例えば特許文献１のようなものが知られており、機器本体の底面に設けた取付孔に、キャスターから突設させた取付軸を差し込み、取付軸に形成した係合部と取付孔に形成した係止片とを係合させることで取付軸を抜け止めするようになっている。
【先行技術文献】
【特許文献】
【０００３】
【特許文献１】特開２０００−０５２７０５号公報
【発明の概要】
【発明が解決しようとする課題】
【０００４】
このようなキャスター取付構造を電気機器に使用する際、機器の外形寸法が大きかったり、重量がある場合は機器を支えるために多くのキャスターを使用する必要があり、機器の本体底面には外周側ばかりではなく中央付近にもキャスターを設置しなければならないことがある。しかしながら、特許文献１のような取付構造では本体底面の中央付近に直接取付孔が形成されるため、本体内部の気密性が維持されることで性能を発揮する加湿運転や空調運転などの機能を備えた電気機器においては性能低下を引き起こす可能性がある。例えば、本体内部に貯水部を備える加湿器において本体底面の中央付近に孔が開いていると、この貯水部に貯留される水が外部からの衝撃によって溢れたときにはこの孔を伝って本体外部に水が漏洩して周囲を汚す可能性がある。また、加湿運転や空調運転を行うためには本体内部に空気を導入する必要があるが、本体内部に空気を通過させる通風経路の気密性が維持されていないために空気が通風経路の外に漏れてしまい、送風効率の低下やそれに伴う加湿能力、空調能力の低下を招く可能性がある。
【０００５】
本発明は上記課題を解決するためのもので、着脱自在なキャスターを備えた電気機器において、本体内部の気密性を維持し、機器本体の性能低下を抑制することが可能な電気機器を提供することを目的とする。
【課題を解決するための手段】
【０００６】
本発明は、本体底面にキャスターを取付けるキャスター取付部を備えた電気機器であって、前記本体底面の中央付近を内部方向に凹みを設けることで、本体内部の気密性を維持して形成される底部空間と、前記底部空間を閉塞する底部カバーとを備え、前記キャスター取付部は、前記キャスターから突設させた取付軸を嵌合する取付孔を有するとともに、前記本体底面の外周付近および中央付近にそれぞれ設けられた外周側取付部および中央側取付部から構成され、前記外周側取付部は、前記本体底面に前記取付孔を有し、前記中央側取付部は、前記底部カバーに前記取付孔を有し、前記底部空間に前記取付軸を収容することを特徴とする電気機器に係わるものである。
【０００７】
また、前記キャスター取付部は、前記取付軸の先端に形成された係合部に係止する係止片を有し、前記係止片は、前記取付孔の周囲から延設させるとともに、切り欠き部を有することを特徴とする請求項１記載の電気機器に係わるものである。
【０００８】
また、前記中央側取付部の前記係止片は、前記切り欠き部が複数形成されるとともに、前記本体底面から突設させた係止片保護部により外周を囲われることを特徴とする請求項２記載の電気機器に係わるものである。
【０００９】
また、前記外周側取付部の前記係止片は、前記切り欠き部が前記取付孔全周の略半分に亘って形成されることを特徴とする請求項２または３記載の電気機器に係わるものである。
【発明の効果】
【００１０】
上述の構成にすることにより、外周側取付部と中央側取付部の構造を異なるものとし、本体底面の中央付近には直接取付孔を形成しないことで本体内部の気密性を維持できるので、機器本体の性能低下を抑制することが可能な電気機器を提供することができる。
【図面の簡単な説明】
【００１１】
【図１】本発明における加湿器の上下を逆さから見たときの外観斜視図である。
【図２】本発明における加湿器の底部カバーの要部拡大図である。
【図３】本発明における加湿器の中央側取付部の縦断面構成図である。
【図４】本発明における加湿器の外周側取付部周辺の概略構成図である。
【発明を実施するための形態】
【００１２】
好適と考える本発明の最良の形態を、本発明の作用効果を示して簡単に説明する。
【００１３】
本発明の電気機器は、本体底面の外周付近と中央付近にそれぞれキャスターを取付ける外周側取付部と中央側取付部とを備えるものであり、外周側取付部は本体底面にキャスターの取付軸を嵌合する取付孔を有し、中央側取付部は本体底面に形成される底部空間を閉塞するための底部カバーに取付孔を有するものである。つまり、本体底面の中央付近には直接取付孔を形成しないので本体内部の気密性が維持されるものであり、気密性が維持されることで性能を発揮する加湿運転や空調運転などの機能を備えた電気機器の性能低下を抑制することができる。
【００１４】
また、取付軸先端の係合部に係止する係止片を有し、この係止片を取付孔の周囲から延設させるとともに、切り欠き部を有することとした。つまり、切り欠き部があることで取付軸の先端が動きやすくなるため、キャスターを取り外す際には取付軸を動かすだけで容易に係合部から係止片を係脱させることができる。
【００１５】
また、中央側取付部の係止片には切り欠き部を複数形成し、係止片保護部によって係止片外周が囲われるようにした。つまり、係止片を複数に分割したことによって個々の係止片の剛性が小さくなって撓みやすくなり、取付軸の先端が動きやすくなるため、キャスターを取り外す際には取付軸を動かすことで容易に係合部から係止片を係脱させることができる。さらに、キャスターが段差にぶつかる等によって外部からの力が加わり係止片が大きく撓むような場合でも、係止片保護部で囲うことによって係止片が大きく撓まないように動きを規制するので係止片の破損を防ぐことができる。
【００１６】
また、外周側取付部の係止片には切り欠き部を取付孔全周の略半分に亘って形成するようにした。つまり、キャスターを取り外す際には切り欠き部の方向に取付軸を倒すだけで容易に係合部から係止片を係脱させることができる。さらに、係止片も取付孔全周の略半分に亘って形成されるために複数に分割したときよりも係止片の剛性が大きく強度が確保できるので、キャスターが段差にぶつかる等によって外部からの力が加わった場合でも係止片の破損を防ぐことができる。
【実施例１】
【００１７】
以下、本発明の一実施例を図面により説明する。
【００１８】
図１は本発明における電気機器の一例である加湿器の上下を逆さから見たときの外観斜視図である。加湿器は、本体１外装が合成樹脂により形成されており、本体底面２の中央付近には本体１の内部方向に凹みを設けることで形成された底部空間３を有し、この底部空間３を閉塞するための底部カバー４が取付けられる。なお、この底部カバー４も合成樹脂により形成されている。
【００１９】
また、本体底面２の外周付近にはキャスター５を取付けるキャスター取付部６（外周側取付部７）が設けられている。本実施例では、本体底面２の四隅にそれぞれ１ヶ所ずつ設けられている。さらに、底部カバー４にもキャスター取付部６（中央側取付部８）が設けられており、これにより本体底面２の中央付近にもキャスター３を配置する。
【００２０】
そして、各キャスター取付部６が設けられた本体底面２および底部カバー４には取付孔９が形成されており、キャスター５から突設させた取付軸１０を取付孔９に挿入し嵌合させることで本体底面２および底部カバー４にキャスター５が取付けられる。そして、取付軸１０の中間適所に設けた規制片１１が本体底面２および底部カバー４に当接することで取付軸１０の奥方向への移動を規制する。
【００２１】
上記のように、中央取付部８においては取付孔９を底部カバー４に設けることにより、本体底面２の中央付近には直接本体１に取付孔９が形成されないので、本体１内部の気密性が維持される。つまり、本体１内部の気密性が維持されることで性能を発揮する加湿器においては、本体底面２の中央付近に孔が開くことで引き起こされる性能低下を抑制することができる。例えば、内部に貯水部を備える加湿器においては、貯水部に貯留される水が外部からの衝撃によって貯水部から流れ出たとしても、孔が開いていないので本体１外部への水の漏洩を抑えて加湿器の周囲が汚れるのを防ぐことができる。また、加湿運転を行うためには本体１内部に空気を導入する必要があるが、本体１内部に空気を通過させる通風経路の気密性が維持されるために空気が漏れるのを抑え、送風効率の低下やそれに伴う加湿能力の低下を防ぐことができる。
【００２２】
なお、本体底面２の外周付近は性能に関わる部品が配置されておらず、本体１内部の気密性に注意を払う必要も少ないことから、底部カバー４を設けずに直接本体１に取付孔９を形成することができる。
【００２３】
図２は底部カバー４の要部拡大図である。底部カバー４に設けられた取付孔９の全周には取付孔９から筒状に延設させた係止片１２が設けられ、この係止片１２は後述するキャスター３の取付軸１０に設けた係合部１３と係合する。また、係止片１２は切り欠き部１４を設けることによって複数に分割されている。本実施例では、切り欠き部１４を等間隔に３ヵ所設けることで係止片１２が３個に分割される。このように分割されることにより、係止片１２の１個当たりの剛性が小さくなるので、係止片１２は取付孔９の内周方向および外周方向に対して撓みやすくなる。
【００２４】
図３はキャスター５が取付けられた状態の中央側取付部８の縦断面構成図である。本体底面２には係止片保護部１５が筒状に突設形成されており、本体底面２に底部カバー４が取付けられた時には係止片１２が係止片保護部１５の内周面に入り込み、係止片１２の外周全周が係止片保護部１５によって囲われる。また、キャスター５の取付軸１０の先端には周方向に沿って切り欠くことで係合部１３が形成されており、取付軸１０を取付孔９内に嵌込んで奥方向へ押し込むことで係合部１３に係止片１２の先端が係合して、この取付軸１０の抜け止めとなる。これにより、取付軸１０は底部空間３に収容された状態で底部カバー４に固定される。
【００２５】
本体１からキャスター５を取り外すときには、まず取付軸１０に対して横方向に力を加えてひねると、取付軸１０の先端が係止片１２に押し付けられる。中央側取付部８の係止片１２は撓みやすく、さらに切り欠き部１４があることで取付軸１０の先端が動きやすくなっているので、取付軸１０を動かして係止片を撓ませることで簡単に係合部１３から係止片１２を係脱させることができる。あとは、取付軸１０を引き抜き方向に引くだけで取付軸１０の先端を取付孔９から引き抜くことができる。
【００２６】
さらに、加湿器の移動時にキャスター５が段差にぶつかる等の衝撃により、キャスター５を取り外すときよりも大きな力が係止片１２に加わっても、係止片１２の外周全周が係止片保護部１５によって囲われていることで係止片１２が大きく撓んで破損しないように係止片１２の動きを規制するので、係止片１２の破損を防止できる。
【００２７】
一方、図４はキャスター５が取付けられた状態の外周側取付部７周辺の概略構成図である。本体底面２の四隅に設けられた取付孔９全周の略半分に亘って取付孔９から筒状に延設させた係止片１６が設けられており、この反対側の略半分は切り欠き部１７となる。このため、係止片１６の１個当たりの剛性が複数に分割したときよりも大きいので、係止片１６は取付孔９の内周方向および外周方向に対して撓みにくくなる。
【００２８】
そして、キャスター５の取付軸１０を取付孔９内に嵌込んで奥方向へ押し込んだときには、係合部１３の略半分に亘って係止片１６の先端が係合し、この取付軸１０の抜け止めとなる。これにより、取付軸１０は本体底面２に固定される。
【００２９】
本体１からキャスター５を取り外すときには、まず取付軸１０を動かして取付軸１０の先端を切り欠き部１７の方向に倒す。取付孔９全周の略半分が係止片１６であり、もう半分が切り欠き部１７であるため、取付軸１０を一方向に倒すだけでその方向と反対側の係合部１３に係合していた係止片１６が簡単に係脱するので、あとは取付軸１０を引き抜き方向に引くだけで取付軸１０の先端を取付孔９から引き抜くことができる。
【００３０】
また、加湿器の移動時にキャスター５が段差にぶつかる等の衝撃により、キャスター５を取り外すときよりも大きな力が係止片１６に加わっても、係止片１６は剛性が大きく強度が確保できるため破損しにくい。これにより、外周側取付部７周辺の本体１外観に歪みや亀裂等が発生するのを抑えることができる。
【００３１】
なお、本実施例では一例として加湿器を用いて説明をしたが、本発明は加湿器に限定されるものではなく、機器の性能上、本体内部の気密性を維持することが必要な加湿運転や空調運転などの機能を備えた電気機器においても適用できるものである。
【符号の説明】
【００３２】
２    本体底面
３    底部空間
４    底部カバー
５    キャスター
６    キャスター取付部
７    外周側取付部
８    中央側取付部
９    取付孔
１０    取付軸
１２、１６    係止片
１３    係合部
１４、１７    切り欠き部
１５    係止片保護部
【図１】
0006553501.tif 000002
【図２】
0006553501.tif 000003
【図３】
0006553501.tif 000004
【図４】
0006553501.tif 000005